(57)【要約】【課題】電子マニフェスト（電子Ｍ）は排出事業者、収集運搬業者、処分業者のいずれもが電子情報による情報交換が不可欠であるが、その処理が複雑であり、建設現場では大企業でも電子Ｍ化がほとんど進んでいないのが現状であり、加えて、建設廃棄物処理業者の中には零細業者も多く、中堅処理業者以上による排出事業者の登録代行及び零細業者の報告代行システムの開発が急務である。【解決手段】ＯＣＲ読取仕様の産廃伝票を廃棄物と一緒に回付し、収集、運搬、処理の過程を該伝票に記入し、電子情報処理が可能な処理業者がＯＣＲ読取システムで該伝票を読取り、読取った情報を利用して電子Ｍ・ＥＤＩ版接続仕様によりネットワークを介して電子Ｍコンピュータへ排出事業者の登録代行、零細業者の報告代行及び自社の報告を行う【選択図】図１
2008134802.tif 000002
【特許請求の範囲】
【請求項１】
環境大臣が電子マニフェストの運用主体として全国でただ１つ指定する（財）日本産業廃棄物処理振興センター・情報処理センターの電子マニフェスト（以下電子Ｍという）コンピュータと電子Ｍの加入者である排出事業者、収集運搬業者、処分業者の各端末が通信ネットワーク（以下ＮＷという）を介して電子Ｍ・ＥＤＩ版接続仕様により接続されるコンピュ−タＮＷを構築し、収集運搬業者端末が事前印字項目（排出事業者の電子Ｍ加入者番号、該排出事業者の住所、該排出事業者の氏名又は名称、該排出事業者の排出事業場の事業場番号、該排出事業場の所在地、該排出事業場の名称、収集運搬業者の電子Ｍ加入者番号、該収集運搬業者の住所、該収集運搬業者の氏名又は名称、処分業者の電子Ｍ加入者番号、該処分業者の住所、該処分業者の氏名又は名称、運搬先の事業場（処分業者の処理施設）の事業場番号、該運搬先の事業場（処分業者の処理施設）の所在地、該運搬先の事業場（処分業者の処理施設）の名称と数量の確定者、中間処理産業廃棄物の管理票交付者（処分委託者）の氏名又は名称及び管理票の交付番号（登録番号）、最終処分（埋立処分、再生等）の場所(予定）の所在地／名称等）と項目の送信を担当する項目欄の送信を担当するコード（収集運搬業者はＡ、処分業者（受領）はＢ、処分業者（処分）はＣ、排出事業者はＤとする）を印字したＯＣＲ読取仕様の産業廃棄物・物流伝票（以下産廃伝票という）（図 １）（４枚複写でＡ票は収集運搬業者用、Ｂ票は処分業者（受領）用、Ｃ票は処分業者（処分）用、Ｄ票は排出事業者用とする）を発行し産廃伝票番号（産廃伝票に連続番号（４枚セットに１つの番号）を印刷しておく）をキーに該事前印字項目を記憶保存し、該収集運搬業者は該伝票を持って該排出事業場に収集に行き、該伝票に収集運搬業者記入項目情報の収集運搬業者の運搬担当者氏名を記入し排出時記入項目情報（産廃引渡年月日、排出担当者氏名、廃棄物分類コード、廃棄物の種類名、引渡し数量、単位、荷姿等）を該排出担当者に記入してもらい該排出事業者にＤ票を渡しＡ〜C票と廃棄物を受取り、該運搬先の事業場（処分業者の処理施設）に運搬、該運搬先の事業場に該廃棄物を引渡した該収集運搬業者は該伝票に収集運搬業者記入項目情報の運搬終了年月日を記入、該運搬先の事業場は該廃棄物を受取り、処分業者受領時記入項目情報（処分業者の受領担当者氏名、受領年月日）を記入しＢ、Ｃ票を受取り、該収集運搬業者はＡ票を受取り帰社、該運搬先の事業場は処分終了時にＣ票に処分業者処分時記入項目情報（処分業者の処分担当者氏名、処分終了年月日）を記入、それぞれの伝票を受取った業者端末は該伝票をＯＣＲ読取装置にかけて読取指定した産廃伝票番号、送信担当者コード（産廃伝票を印刷するときに各票の送信担当者コード欄に、Ａ票にはＡ、Ｂ票にはＢ、Ｃ票にはＣ、Ｄ票にはＤを印刷しておく）、項目の送信を担当する項目欄の送信を担当するコード、項目の送信を担当する項目欄の項目情報（排出時記入項目情報、収集運搬業者記入項目情報、処分業者受領時記入項目、処分業者処分時記入項目）、電子Ｍ加入者番号・事業場番号を読み取り、読み取ったデータの産廃伝票番号をキーに産廃伝票発行・事前印字項目ファイルを検索し該番号が一致した事前印字項目データを取得し、取得した該事前印字項目データと該読み取ったデータを該番号をキーに統合し記憶保存し、読み取ったデータの産廃伝票番号をキーに産廃伝票発行・事前印字項目ファイルを検索しても、該番号と一致する事前印字項目データが存在しない場合は該読み取ったデータを該番号をキーにそのまま記憶保存し、該業者端末は自社の送信担当者コードをキーに記憶保存したデータの項目の送信を担当する項目欄の送信を担当するコードを検索し該送信担当者コードと一致した項目の送信を担当する項目欄の項目情報を取得し、取得した項目情報を利用して電子Ｍ・ＥＤＩ版接続仕様によりＮＷを介して電子Ｍコンピュータへの排出事業者の登録代行、収集運搬業者の運搬終了報告、処分業者による収集運搬業者の運搬終了報告代行、処分業者の処分終了報告を行う電子マニフェスト登録代行・報告・報告代行システムにおいて、
業者（収集運搬業者、処分業者）端末に、
事前印字項目と項目の送信を担当する項目欄の送信を担当するコードを印字したＯＣＲ読取仕様の産廃伝票を発行し、該伝票の産廃伝票番号をキーに該事前印字項目が記憶保存される産廃伝票発行・事前印字項目記憶保存手段と、
回付され、排出時記入項目情報、収集運搬業者記入項目情報、処分業者受領時記入項目情報、処分業者処分時記入項目情報等が記入された該伝票を受取った業者端末は、該伝票をＯＣＲ読取装置にかけて、読取指定した産廃伝票番号、送信担当者コード、項目の送信を担当する項目欄（事前印字項目欄、排出時記入項目欄、収集運搬業者記入項目欄、処分業者受領時記入項目欄、処分業者処分時記入項目欄）の送信を担当するコード、項目の送信を担当する項目欄の項目情報（排出時記入項目情報、収集運搬業者記入項目情報、処分業者受領時記入項目情報、処分業者処分時記入項目情報）、電子Ｍ加入者番号・事業場番号（排出事業者の電子Ｍ加入者番号、該排出事業者の排出事業場の事業場番号、収集運搬業者の電子Ｍ加入者番号、処分業者の電子Ｍ加入者番号、運搬先の事業場（処分業者の処理施設）の事業場番号、）を読み取り記憶保存するＯＣＲ読取記憶保存手段と、
ＯＣＲ読取記憶保存手段により読み取ったデータの産廃伝票番号をキーに産廃伝票発行・事前印字項目ファイルが検索され該番号が一致した事前印字項目データが取得され、取得された該事前印字項目データと該読み取ったデータが該番号をキーに統合（統合するにあたり該事前印字項目データの電子Ｍ加入者番号・事業場番号と該読み取ったデータの電子Ｍ加入者番号・事業場番号については該事前印字項目データの電子Ｍ加入者番号・事業場番号を優先し統合するものとする）され記憶保存され、読み取ったデータの産廃伝票番号をキーに産廃伝票発行・事前印字項目ファイルが検索されても、該番号と一致する事前印字項目データが存在しない場合は該読み取ったデータが該番号をキーにそのまま記憶保存される事前印字項目データ・読み取りデータ記憶保存手段と、
収集運搬業者端末に、
送信担当者コードＡをキーに事前印字項目データ・読み取りデータファイルの事前印字項目欄と排出時記入項目欄の送信を担当するコードが検索されコードが一致した事前印字項目データ・読み取りデータが取得され、取得された該事前印字項目データ・読み取りデータの事前印字項目データと排出時記入項目情報が、電子Ｍ・ＥＤＩ版接続仕様によりＮＷを介して電子Ｍコンピュータに接続され、電子Ｍ・ＥＤＩ版接続仕様により該事前印字項目データの排出事業者の電子Ｍ加入者番号をキーに排出事業者登録情報として該収集運搬業者端末により登録（登録時に事前印字項目データ・読み取りデータの産廃伝票番号を電子Ｍの連絡番号欄に登録する）代行される収集運搬業者による排出事業者電子Ｍ登録代行手段と、
送信担当者コードＡをキーに事前印字項目データ・読み取りデータファイルの収集運搬業者記入項目欄の送信を担当するコードが検索されコードが一致した事前印字項目データ・読み取りデータが取得され、取得された該事前印字項目データ・読み取りデータの収集運搬業者記入項目情報が該事前印字項目データ・読み取りデータの産廃伝票番号をキーに記憶保存され、電子Ｍ・ＥＤＩ版接続仕様によりＮＷを介して電子Ｍコンピュータに接続され、該事前印字項目データ・読み取りデータの収集運搬業者の電子Ｍ加入者番号をキーに該収集運搬業者宛の運搬終了未報告データ（連絡番号付）の電子Ｍ・ＥＤＩ版接続仕様による要求手続が行われる収集運搬業者記入項目情報記憶保存・収集運搬業者運搬終了未報告データ（連絡番号付）要求手段と、
上記手段が行われた後、所定時間経過後に、再度、電子Ｍ・ＥＤＩ版接続仕様によりＮＷを介して電子Ｍコンピュータに接続され、該事前印字項目データ・読み取りデータの該収集運搬業者の電子Ｍ加入者番号をキーに該収集運搬業者宛の運搬終了未報告データ（電子Ｍの登録番号が付与されている）が電子Ｍ・ＥＤＩ版接続仕様により入手され、入手された該運搬終了未報告データの連絡番号欄に登録されている産廃伝票番号をキーに上記手段により記憶保存された収集運搬業者記入項目情報ファイルが検索され該番号が一致した収集運搬業者記入項目情報が取得され、取得された該収集運搬業者記入項目情報が該事前印字項目データ・読み取りデータの該収集運搬業者の電子Ｍ加入者番号をキーに該収集運搬業者の電子Ｍ運搬終了報告として該運搬終了未報告データの電子Ｍ登録番号をキーに電子Ｍ・ＥＤＩ版接続仕様により電子Ｍコンピュータに報告される収集運搬業者運搬終了報告手段と、
処分業者端末に、
送信担当者コードＢをキーに事前印字項目データ・読み取りデータファイルの事前印字項目欄と排出時記入項目欄の送信を担当するコードが検索されコードが一致した事前印字項目データ・読み取りデータが取得され、取得された該事前印字項目データ・読み取りデータの事前印字項目データと排出時記入項目情報が、電子Ｍ・ＥＤＩ版接続仕様によりＮＷを介して電子Ｍコンピュータに接続され、電子Ｍ・ＥＤＩ版接続仕様により該事前印字項目データの排出事業者の電子Ｍ加入者番号をキーに排出事業者登録情報として該処分業者端末により登録（登録時に事前印字項目データ・読み取りデータの産廃伝票番号を電子Ｍの連絡番号欄に登録する）代行される処分業者（受領）による排出事業者電子Ｍ登録代行手段と、
送信担当者コードＢをキーに事前印字項目データ・読み取りデータファイルの収集運搬業者記入項目欄の送信を担当するコードが検索されコードが一致した事前印字項目データ・読み取りデータが取得され、取得された該事前印字項目データ・読み取りデータの収集運搬業者記入項目情報が該事前印字項目データ・読み取りデータの産廃伝票番号をキーに記憶保存され、電子Ｍ・ＥＤＩ版接続仕様によりＮＷを介して電子Ｍコンピュータに接続され、該事前印字項目データ・読み取りデータの収集運搬業者の電子Ｍ加入者番号をキーに該収集運搬業者宛の運搬終了未報告データ（連絡番号付）の電子Ｍ・ＥＤＩ版接続仕様による要求手続が処分業者端末により代行して行われる処分業者（受領）による収集運搬業者記入項目情報記憶保存・収集運搬業者運搬終了未報告データ（連絡番号付）要求手続代行手段と、
上記手段が行われた後、所定時間経過後に、再度、電子Ｍ・ＥＤＩ版接続仕様によりＮＷを介して電子Ｍコンピュータに接続され、該事前印字項目データ・読み取りデータの該収集運搬業者の電子Ｍ加入者番号をキーに該収集運搬業者宛の運搬終了未報告データ（電子Ｍの登録番号が付与されている）が電子Ｍ・ＥＤＩ版接続仕様により処分業者端末により代行して入手され、入手された該収集運搬業者宛の運搬終了未報告データの連絡番号欄に登録されている産廃伝票番号をキーに上記手段により記憶保存された処分業者（受領）による収集運搬業者記入項目情報ファイルが検索され該番号が一致した処分業者（受領）による収集運搬業者記入項目情報が取得され、取得された該処分業者（受領）による収集運搬業者記入項目情報が該事前印字項目データ・読み取りデータの該収集運搬業者の電子Ｍ加入者番号をキーに該収集運搬業者の電子Ｍ運搬終了報告として該収集運搬業者宛の運搬終了未報告データの電子Ｍ登録番号をキーに電子Ｍ・ＥＤＩ版接続仕様により電子Ｍコンピュータに処分業者端末により代行して報告される処分業者（受領）による収集運搬業者運搬終了報告代行手段と、
送信担当者コードＢをキーに事前印字項目データ・読み取りデータファイルの処分業者受領時記入項目欄の送信を担当するコードが検索されコードが一致した事前印字項目データ・読み取りデータが取得され、取得された該事前印字項目データ・読み取りデータの処分業者受領時記入項目情報が該事前印字項目データ・読み取りデータの産廃伝票番号をキーに記憶保存される処分業者受領時記入項目情報記憶保存手段と、
送信担当者コードＣをキーに事前印字項目データ・読み取りデータファイルの事前印字項目欄と排出時記入項目欄の送信を担当するコードが検索されコードが一致した事前印字項目データ・読み取りデータが取得され、取得された該事前印字項目データ・読み取りデータの事前印字項目データと排出時記入項目情報が、電子Ｍ・ＥＤＩ版接続仕様によりＮＷを介して電子Ｍコンピュータに接続され、電子Ｍ・ＥＤＩ版接続仕様により該事前印字項目データの排出事業者の電子Ｍ加入者番号をキーに排出事業者登録情報として該処分業者端末により登録（登録時に事前印字項目データ・読み取りデータの産廃伝票番号を電子Ｍの連絡番号欄に登録する）代行される処分業者（処分）による排出事業者電子Ｍ登録代行手段と、
送信担当者コードＣをキーに事前印字項目データ・読み取りデータファイルの収集運搬業者記入項目欄の送信を担当するコードが検索されコードが一致した事前印字項目データ・読み取りデータが取得され、取得された該事前印字項目データ・読み取りデータの収集運搬業者記入項目情報が該事前印字項目データ・読み取りデータの産廃伝票番号をキーに記憶保存され、電子Ｍ・ＥＤＩ版接続仕様によりＮＷを介して電子Ｍコンピュータに接続され、該事前印字項目データ・読み取りデータの収集運搬業者の電子Ｍ加入者番号をキーに該収集運搬業者宛の運搬終了未報告データ（連絡番号付）の電子Ｍ・ＥＤＩ版接続仕様による要求手続が処分業者端末により代行して行われる処分業者（処分）による収集運搬業者記入項目情報記憶保存・収集運搬業者運搬終了未報告データ（連絡番号付）要求手続代行手段と、
上記手段が行われた後、所定時間経過後に、再度、電子Ｍ・ＥＤＩ版接続仕様によりＮＷを介して電子Ｍコンピュータに接続され、該事前印字項目データ・読み取りデータの該収集運搬業者の電子Ｍ加入者番号をキーに該収集運搬業者宛の運搬終了未報告データ（電子Ｍの登録番号が付与されている）が電子Ｍ・ＥＤＩ版接続仕様により処分業者端末により代行して入手され、入手された該収集運搬業者宛の運搬終了未報告データの連絡番号欄に登録されている産廃伝票番号をキーに上記手段により記憶保存された処分業者（処分）による収集運搬業者記入項目情報ファイルが検索され該番号が一致した処分業者（処分）による収集運搬業者記入項目情報が取得され、取得された該処分業者（処分）による収集運搬業者記入項目情報が該事前印字項目データ・読み取りデータの該収集運搬業者の電子Ｍ加入者番号をキーに該収集運搬業者の電子Ｍ運搬終了報告として該収集運搬業者宛の運搬終了未報告データの電子Ｍ登録番号をキーに電子Ｍ・ＥＤＩ版接続仕様により電子Ｍコンピュータに処分業者端末により代行して報告される処分業者（処分）による収集運搬業者運搬終了報告代行手段と、
送信担当者コードＣをキーに事前印字項目データ・読み取りデータファイルの処分業者受領時記入項目欄の送信を担当するコードが検索されコードが一致した事前印字項目データ・読み取りデータが取得され、取得された該事前印字項目データ・読み取りデータの処分業者受領時記入項目情報が該事前印字項目データ・読み取りデータの産廃伝票番号をキーに記憶保存される処分業者（処分）による処分業者受領時記入項目情報記憶保存手段と、
送信担当者コードＣをキーに事前印字項目データ・読み取りデータファイルの処分業者処分時記入項目欄の送信を担当するコードが検索されコードが一致した事前印字項目データ・読み取りデータが取得され、取得された該事前印字項目データ・読み取りデータの処分業者処分時記入項目情報が該事前印字項目データ・読み取りデータの産廃伝票番号をキーに記憶保存され、電子Ｍ・ＥＤＩ版接続仕様によりＮＷを介して電子Ｍコンピュータに接続され、該事前印字項目データ・読み取りデータの処分業者の電子Ｍ加入者番号をキーに該処分業者宛の処分終了未報告データ（連絡番号付）の電子Ｍ・ＥＤＩ版接続仕様による要求手続が行われる処分業者（処分）による処分業者処分時記入項目情報記憶保存・処分業者処分終了未報告データ（連絡番号付）要求手続手段と、
上記手段が行われた後、所定時間経過後に、再度、電子Ｍ・ＥＤＩ版接続仕様によりＮＷを介して電子Ｍコンピュータに接続され、該事前印字項目データ・読み取りデータの該処分業者の電子Ｍ加入者番号をキーに該処分業者宛の処分終了未報告データ（電子Ｍの登録番号が付与されている）が電子Ｍ・ＥＤＩ版接続仕様により入手され、入手された該処分終了未報告データの連絡番号欄に登録されている産廃伝票番号をキーに上記手段により記憶保存された処分業者（処分）による処分業者処分時記入項目情報ファィルが検索され該番号が一致した処分業者（処分）による処分業者処分時記入項目情報が取得され、取得された該処分業者（処分）による処分業者処分時記入項目情報が、該事前印字項目データ・読み取りデータの該処分業者の電子Ｍ加入者番号をキーに該処分業者の電子Ｍ処分終了報告として該処分終了未報告データの電子Ｍ登録番号をキーに電子Ｍ・ＥＤＩ版接続仕様により電子Ｍコンピュータに報告される処分業者処分終了報告手段と、
を備えた請求項１に関連する情報処理技術
【発明の詳細な説明】
【技術分野】
【０００１】
環境大臣が電子マニフェストの運用主体として全国でただ１つ指定する（財）日本産業廃棄物処理振興センター・情報処理センターの電子マニフェスト（以下電子Ｍという）コンピュータと電子Ｍの加入者である排出事業者、収集運搬業者、処分業者の各端末が通信ネットワーク（以下ＮＷという）を介して電子Ｍ・ＥＤＩ版接続仕様により接続されるコンピュ−タＮＷを構築し、収集運搬業者端末が事前印字項目と項目の送信を担当する項目欄の送信を担当するコードを印字したＯＣＲ読取仕様の産廃伝票を発行し産廃伝票番号をキーに該事前印字項目を記憶保存し、該収集運搬業者は該伝票を持って排出事業場に収集に行き、該伝票に運搬担当者氏名を記入し排出時記入項目情報を記入してもらい排出事業者にＤ票を渡しＡ〜Ｃ票と廃棄物を受取り、運搬先の事業場（処分業者の処理施設）に運搬し該廃棄物を引渡し、該伝票に運搬終了年月日を記入、該運搬先の事業場は該廃棄物を受取り、処分受入・受領時記入項目情報を記入しＢ、Ｃ票を受取り、該収集運搬業者はＡ票を受取り帰社、該運搬先の事業場は処分終了時にＣ票に処分時記入項目情報を記入、それぞれの伝票を受取った業者端末は該伝票をＯＣＲ読取装置にかけて読取指定した産廃伝票番号、送信担当者コード、項目の送信を担当する項目欄の送信を担当するコード、項目の送信を担当する項目欄の項目情報を読み取り、読み取ったデータの産廃伝票番号をキーに産廃伝票発行・事前印字項目ファイルを検索し該番号が一致した事前印字項目データを取得し、取得した該事前印字項目データと該読み取ったデータを該番号をキーに統合し記憶保存し、該読み取ったデータの産廃伝票番号をキーに産廃伝票発行・事前印字項目ファイルを検索しても、該番号と一致する事前印字項目データが存在しない場合は該読み取ったデータを該番号をキーに記憶保存し、該業者端末は自社の送信担当者コードをキーに記憶保存したデータの項目の送信を担当する項目欄の送信を担当するコードを検索し該送信担当者コードと一致した項目の送信を担当する項目欄の項目情報を取得し、取得した該項目情報を利用して電子Ｍ・ＥＤＩ版接続仕様によりＮＷを介して電子Ｍコンピュータへの排出事業者の登録を代行し、収集運搬業者の運搬終了報告、処分業者による収集運搬業者の運搬終了報告代行、処分業者の処分終了報告を行う情報処理に関する。
【背景技術】
【０００２】
建設業界においては永年にわたり建設九団体副産物対策協議会が販売している建設マニフェスト伝票を使用しているが、該伝票は作成、回付、整理、保管（法律で５年間の保存が義務付けられている）に多大な経費がかかり、同協議会は電子Ｍを本格的に導入するべく電子Ｍ検討ワーキンググループを発足させ平成１４年６月５日に同ワーキンググループの第１回を開催、昨年には携帯端末（ＰＤＡ）を使用した簡易入力システムの実証実験も行われそれなりの成果は出ているが、ＰＤＡはシステムも高価で、かつ、収集運搬業者のスキルアップも課題であり、より簡便な簡易入力システムの開発が待たれるところである。
【特許文献１】特願２００１−２１８８１９
【特許文献２】特願２００３−１０５８５５
【特許文献３】特願２００４−０４２１０４
【特許文献４】特願２００４−１４９７３７
【特許文献５】特願２００５−２１６０４５
【特許文献６】特願２００６−２９２２７０
【非特許文献１】（財）日本産業廃棄物処理振興センター情報処理センターのＥＤＩ版電子Ｍシステム接続仕様書については（財）日本産業廃棄物処理振興センターのホームページのＪＷＮＥＴ電子マニフェスト（http://www.jwnet.or.jp/jwnet/）に掲載の新システムのマニアルを援用する。（電子マニフェストの新システムのマニアルは販売しないようである）
【発明の開示】
【発明が解決しようとする課題】
【０００３】
本発明が解決しようとする課題は、電子Ｍは排出事業者、収集運搬業者、処分業者のいずれもが電子情報による情報交換が不可欠であるが、その処理が複雑であり、建設現場では大企業でも電子Ｍ化がほとんど進んでいないのが現状であり、加えて、建設廃棄物処理業者の中には零細業者も多く、この状況の下、いかに電子Ｍ化するかが課題である。
【課題を解決するための手段】
【０００４】
先ず、環境大臣が電子Ｍの運用主体として全国でただ１つ指定する（財）日本産業廃棄物処理振興センター・情報処理センターの電子Ｍコンピュータと電子Ｍの加入者である排出事業者、収集運搬業者、処分業者の各端末が通信ネットワーク（以下ＮＷという）を介して電子Ｍ・ＥＤＩ版接続仕様により接続されるコンピュ−タＮＷを構築する。
【０００５】
次に、収集運搬業者端末が事前印字項目と項目の送信を担当する項目欄の送信を担当するコードを印字したＯＣＲ読取仕様の産廃伝票を発行し産廃伝票番号をキーに該事前印字項目情報が記憶保存されるように構成する。
【０００６】
そして、収集運搬業者は該伝票を持って排出事業場に収集に行き、該伝票に運搬担当者氏名を記入し排出時記入項目情報を記入してもらい排出事業者にＤ票を渡しＡ〜Ｃ票と廃棄物を受取り、運搬先の事業場（処分業者の処理施設）に運搬し該廃棄物を引渡し、該伝票に運搬終了年月日を記入、該運搬先の事業場は該廃棄物を受取り、処分受入・受領時記入項目情報を記入しＢ、Ｃ票を受取り、該収集運搬業者はＡ票を受取り帰社、該運搬先の事業場は処分終了時にＣ票に処分時記入項目情報を記入するように構成する。
【０００７】
さらに、それぞれの伝票を受取った業者端末は該伝票をＯＣＲ読取装置にかけて読取指定した産廃伝票番号、送信担当者コード、項目の送信を担当する項目欄の送信を担当するコード、項目の送信を担当する項目欄の項目情報、電子Ｍ加入者番号・事業場番号を読み取り、読み取ったデータの産廃伝票番号をキーに産廃伝票発行・事前印字項目ファイルを検索し該番号が一致した事前印字項目データを取得し、取得した該事前印字項目データと該読み取ったデータを該番号をキーに統合し記憶保存し、読み取ったデータの産廃伝票番号をキーに産廃伝票発行・事前印字項目ファイルを検索しても、該番号と一致する事前印字項目データが存在しない場合は該読み取ったデータを該番号をキーにそのまま記憶保存し、該業者端末は自社の送信担当者コードをキーに記憶保存したデータの項目の送信を担当する項目欄の送信を担当するコードを検索し該送信担当者コードと一致した項目の送信を担当する項目欄の項目情報を取得し、取得した項目情報を利用して電子Ｍ・ＥＤＩ版接続仕様によりＮＷを介して電子Ｍコンピュータに接続し、電子Ｍ・ＥＤＩ版接続仕様により排出事業者の登録代行、収集運搬業者の運搬終了報告、処分業者による収集運搬業者の運搬終了報告代行、処分業者の処分終了報告を行い、その結果については各社が電子Ｍのパソコン版で入手し確認するように構成すれば良い。
【０００８】
この発明は以下のように変形が可能である。
【０００９】
先ず、収集運搬業者はＦＡＸ／ＯＣＲコンピュータシステムを設置する。
【００１０】
次に、収集運搬業者端末で産廃伝票発行・事前印字項目記憶保存手段により産廃伝票（ＦＡＸ／ＯＣＲの場合は伝票の３隅にＦＡＸ／ＯＣＲ用タイミングマークを付ける）を発行し、該伝票のＤ票を排出事業者に渡しておく。
【００１１】
該収集運搬業者が該排出事業者の排出事業場から、遠隔地の該排出事業者の排出担当者に、カメラ付携帯電話で廃棄物情報（廃棄物の種類、数量、単位、荷姿等）を送信し、該排出担当者はカメラ付携帯電話で該廃棄物情報を受信し、該廃棄物情報を該排出担当者と該収集運搬業者双方が確認し、該排出担当者のＤ票と該収集運搬業者のＡ〜Ｃ票の産廃伝票番号を確認した上で該排出担当者は該Ｄ票に排出時記入項目情報を記入し該Ｄ票をＦＡＸにて該収集運搬業者のＦＡＸ／ＯＣＲコンピュータシステムに送信する。
【００１２】
該収集運搬業者は排出事業場にて該排出担当者と確認しあった該廃棄物情報とその他の排出時記入項目情報を該伝票に代理記入し、該伝票に収集運搬業者記入項目情報の収集運搬業者の運搬担当者氏名を記入し、Ａ〜C票と廃棄物を持って運搬先の事業場（処分業者の処理施設）に運搬、該運搬先の事業場に該廃棄物を引渡した該収集運搬業者は該伝票に収集運搬業者記入項目情報の運搬終了年月日を記入、該運搬先の事業場は該廃棄物を受取り、処分業者受領時記入項目情報（処分業者の受領担当者氏名、受領年月日）を記入しＢ、Ｃ票を受取り、該収集運搬業者はＡ票を受取り帰社。
【００１３】
該収集運搬業者は該排出担当者からＦＡＸ送信されてきた該Ｄ票をＦＡＸ／ＯＣＲコンピュータシステムにより受信し、受信した画像情報がコンピュータデータに変換され、読取指定した産廃伝票番号、送信担当者コード、項目の送信を担当する項目欄の送信を担当するコード、項目の送信を担当する項目欄の項目情報、電子Ｍ加入者番号・事業場番号が読み取られ、読み取られたデータの該産廃伝票番号をキーに該収集運搬業者端末の産廃伝票発行・事前印字項目ファイルが検索され該番号が一致した事前印字項目データが取得され、取得された該事前印字項目データと該読み取ったデータが該番号をキーに統合（統合するにあたり該事前印字項目データの電子Ｍ加入者番号・事業場番号と該読み取ったデータの電子Ｍ加入者番号・事業場番号については該事前印字項目データの電子Ｍ加入者番号・事業場番号を優先し統合するものとする）され該収集運搬業者端末に記憶保存する。
【００１４】
読み取られたデータの産廃伝票番号をキーに該収集運搬業者端末の産廃伝票発行・事前印字項目ファイルが検索されても、該番号と一致する事前印字項目データが存在しない場合は該読み取られたデータが該番号をキーにそのまま記憶保存され、該読み取られたデータの事前印字項目データ不在警告が該収集運搬業者端末に表示されるようにする。
【００１５】
該収集運搬業者端末は送信担当者コードＡをキーに[００１３]において該端末に記憶保存された該事前印字項目データと該読み取ったデータの統合ファイルの事前印字項目欄の送信を担当するコードが検索され該送信担当者コードＡと一致した事前印字項目データと読み取ったデータが取得され、取得された該事前印字項目データと該読み取ったデータが電子Ｍ・ＥＤＩ版接続仕様によりＮＷを介して電子Ｍコンピュータに接続され電子Ｍ・ＥＤＩ版接続仕様により該事前印字項目データと該読み取ったデータの排出事業者の電子Ｍ加入者番号をキーに該排出事業者の登録代行が行われるようにする。
【００１６】
ＦＡＸ／ＯＣＲコンピュータシステムによる排出事業者の登録代行以外の、収集運搬業者の運搬終了報告、処分業者による収集運搬業者の運搬終了報告代行、処分業者の処分終了報告は本発明のシステムにより行われるように構成すれば、遠隔立会い携帯電話・産廃伝票管理システムとなる。
【発明の効果】
【００１７】
電子Ｍは排出事業者と収集運搬業者と処分業者の３者が電子情報の交換に対応した環境を整えなければならないが、本発明はＯＣＲ読取仕様の産廃伝票を廃棄物と一緒に回付し、収集、運搬、処理の過程を該伝票に記入し、電子情報処理が可能な処理業者がＯＣＲ読取システムで該伝票を読取り、読取った情報を利用して電子Ｍ・ＥＤＩ版接続仕様によりネットワークを介して電子Ｍコンピュータへ排出事業者の登録代行、零細業者の報告代行及び自社の報告を行えば電子Ｍは３者が電子情報の交換に対応した環境を整えなければならないと言う障害がクリアされる。
【発明を実施するための最良の形態】
【００１８】
業者（収集運搬業者、処分業者）端末に
産廃伝票発行・事前印字項目記憶保存手段により事前印字項目と項目の送信を担当する項目欄の送信を担当するコードを印字したＯＣＲ読取仕様の産廃伝票を発行し、該伝票の産廃伝票番号をキーに該事前印字項目が記憶保存され、
回付され、排出時記入項目情報、収集運搬業者記入項目情報、処分業者受領時記入項目情報、処分業者処分時記入項目情報等が記入された該伝票を受取った業者端末は、ＯＣＲ読取記憶保存手段により該伝票がＯＣＲ読取装置にかけられて、読取指定した産廃伝票番号、送信担当者コード、項目の送信を担当する項目欄の送信を担当するコード、項目の送信を担当する項目欄の項目情報、電子Ｍ加入者番号・事業場番号が読み取られ記憶保存されるようにする。
【００１９】
ＯＣＲ読取記憶保存手段により読み取られたデータの産廃伝票番号をキーに事前印字項目データ・読み取りデータ記憶保存手段により産廃伝票発行・事前印字項目ファイルが検索され該番号が一致した事前印字項目データが取得され、取得された該事前印字項目データと該読み取ったデータが該番号をキーに統合され記憶保存され、該読み取ったデータの産廃伝票番号をキーに産廃伝票発行・事前印字項目ファイルが検索されても、該番号と一致する事前印字項目データが存在しない場合は該読み取ったデータが該番号をキーにそのまま記憶保存されるようにする。
【００２０】
収集運搬業者端末に
収集運搬業者による排出事業者電子Ｍ登録代行手段により送信担当者コードＡをキーに事前印字項目データ・読み取りデータファイルの事前印字項目欄と排出時記入項目欄の送信を担当するコードが検索されコードが一致した事前印字項目データ・読み取りデータが取得され、取得された該事前印字項目データ・読み取りデータの事前印字項目データと排出時記入項目情報が、電子Ｍ・ＥＤＩ版接続仕様によりＮＷを介して電子Ｍコンピュータに接続され、電子Ｍ・ＥＤＩ版接続仕様により該事前印字項目データの排出事業者の電子Ｍ加入者番号をキーに排出事業者登録情報として該収集運搬業者端末により登録代行されるようにする。
【００２１】
収集運搬業者記入項目情報記憶保存・収集運搬業者運搬終了未報告データ（連絡番号付）要求手段により送信担当者コードＡをキーに事前印字項目データ・読み取りデータファイルの収集運搬業者記入項目欄の送信を担当するコードが検索されコードが一致した事前印字項目データ・読み取りデータが取得され、取得された該事前印字項目データ・読み取りデータの収集運搬業者記入項目情報が該事前印字項目データ・読み取りデータの産廃伝票番号をキーに記憶保存され、電子Ｍ・ＥＤＩ版接続仕様によりＮＷを介して電子Ｍコンピュータに接続され、該事前印字項目データ・読み取りデータの収集運搬業者の電子Ｍ加入者番号をキーに該収集運搬業者宛の運搬終了未報告データ（連絡番号付）の電子Ｍ・ＥＤＩ版接続仕様による要求手続が行われるようにする。
【００２２】
上記手続が行われた後、所定時間経過後に、収集運搬業者運搬終了報告手段により再度、電子Ｍ・ＥＤＩ版接続仕様によりＮＷを介して電子Ｍコンピュータに接続され、該事前印字項目データ・読み取りデータの該収集運搬業者の電子Ｍ加入者番号をキーに該収集運搬業者宛の運搬終了未報告データ（電子Ｍの登録番号が付与されている）が電子Ｍ・ＥＤＩ版接続仕様により入手され、入手された該運搬終了未報告データの連絡番号欄に登録されている産廃伝票番号をキーに［００２２］において記憶保存された収集運搬業者記入項目情報ファイルが検索され該番号が一致した収集運搬業者記入項目情報が取得され、取得された該収集運搬業者記入項目情報が該事前印字項目データ・読み取りデータの収集運搬業者の電子Ｍ加入者番号をキーに該収集運搬業者の電子Ｍ運搬終了報告として該運搬終了未報告データの電子Ｍ登録番号をキーに電子Ｍ・ＥＤＩ版接続仕様により電子Ｍコンピュータに報告されるようにする。
【００２３】
処分業者端末に
処分業者（受領）による排出事業者電子Ｍ登録代行手段により送信担当者コードＢをキーに事前印字項目データ・読み取りデータファイルの事前印字項目欄と排出時記入項目欄の送信を担当するコードが検索されコードが一致した事前印字項目データ・読み取りデータが取得され、取得された該事前印字項目データ・読み取りデータの事前印字項目データと排出時記入項目情報が、電子Ｍ・ＥＤＩ版接続仕様によりＮＷを介して電子Ｍコンピュータに接続され、電子Ｍ・ＥＤＩ版接続仕様により該事前印字項目データの排出事業者の電子Ｍ加入者番号をキーに排出事業者登録情報として該処分業者端末により登録代行されるようにする。
【００２４】
処分業者（受領）による収集運搬業者記入項目情報記憶保存・収集運搬業者運搬終了未報告データ（連絡番号付）要求手続代行手段により送信担当者コードＢをキーに事前印字項目データ・読み取りデータファイルの収集運搬業者記入項目欄の送信を担当するコードが検索されコードが一致した事前印字項目データ・読み取りデータが取得され、取得された該事前印字項目データ・読み取りデータの収集運搬業者記入項目情報が該事前印字項目データ・読み取りデータの産廃伝票番号をキーに記憶保存され、電子Ｍ・ＥＤＩ版接続仕様によりＮＷを介して電子Ｍコンピュータに接続され、該事前印字項目データ・読み取りデータの収集運搬業者の電子Ｍ加入者番号をキーに該収集運搬業者宛の運搬終了未報告データ（連絡番号付）の電子Ｍ・ＥＤＩ版接続仕様による要求手続が処分業者端末により代行して行われるようにする。
【００２５】
上記手続が行われた後、所定時間経過後に、処分業者（受領）による収集運搬業者運搬終了報告代行手段により再度、電子Ｍ・ＥＤＩ版接続仕様によりＮＷを介して電子Ｍコンピュータに接続され、該事前印字項目データ・読み取りデータの該収集運搬業者の電子Ｍ加入者番号をキーに該収集運搬業者宛の運搬終了未報告データ（電子Ｍの登録番号が付与されている）が電子Ｍ・ＥＤＩ版接続仕様により該処分業者端末により代行して入手され、入手された該収集運搬業者宛の運搬終了未報告データの連絡番号欄に登録されている産廃伝票番号をキーに[００２５]において記憶保存された処分業者（受領）による収集運搬業者記入項目情報ファイルが検索され該番号が一致した処分業者（受領）による収集運搬業者記入項目情報が取得され、取得された該処分業者（受領）による収集運搬業者記入項目情報が該事前印字項目データ・読み取りデータの収集運搬業者の電子Ｍ加入者番号をキーに該収集運搬業者の電子Ｍ運搬終了報告として該収集運搬業者宛の運搬終了未報告データの電子Ｍ登録番号をキーに電子Ｍ・ＥＤＩ版接続仕様により電子Ｍコンピュータに該処分業者端末により代行して報告されるようにする。
【００２６】
処分業者受領時記入項目情報記憶保存手段により送信担当者コードＢをキーに事前印字項目データ・読み取りデータファイルの処分業者受領時記入項目欄の送信を担当するコードが検索されコードが一致した事前印字項目データ・読み取りデータが取得され、取得された該事前印字項目データ・読み取りデータの処分業者受領時記入項目情報が該事前印字項目データ・読み取りデータの産廃伝票番号をキーに記憶保存されるようにする。
【００２７】
処分業者（処分）による排出事業者電子Ｍ登録代行手段により送信担当者コードＣをキーに事前印字項目データ・読み取りデータファイルの事前印字項目欄と排出時記入項目欄の送信を担当するコードが検索されコードが一致した事前印字項目データ・読み取りデータが取得され、取得された該事前印字項目データ・読み取りデータの事前印字項目データと排出時記入項目情報が、電子Ｍ・ＥＤＩ版接続仕様によりＮＷを介して電子Ｍコンピュータに接続され、電子Ｍ・ＥＤＩ版接続仕様により該事前印字項目データの排出事業者の電子Ｍ加入者番号をキーに排出事業者登録情報として該処分業者端末により登録代行されるようにする。
【００２８】
処分業者（処分）による収集運搬業者記入項目情報記憶保存・収集運搬業者運搬終了未報告データ（連絡番号付）要求手続代行手段により送信担当者コードＣをキーに事前印字項目データ・読み取りデータファイルの収集運搬業者記入項目欄の送信を担当するコードが検索されコードが一致した事前印字項目データ・読み取りデータが取得され、取得された該事前印字項目データ・読み取りデータの収集運搬業者記入項目情報が該事前印字項目データ・読み取りデータの産廃伝票番号をキーに記憶保存され、電子Ｍ・ＥＤＩ版接続仕様によりＮＷを介して電子Ｍコンピュータに接続され、該事前印字項目データ・読み取りデータの収集運搬業者の電子Ｍ加入者番号をキーに該収集運搬業者宛の運搬終了未報告データ（連絡番号付）の電子Ｍ・ＥＤＩ版接続仕様による要求手続が処分業者端末により代行して行われるようにする。
【００２９】
上記手続が行われた後、所定時間経過後に、処分業者（処分）による収集運搬業者運搬終了報告代行手段により再度、電子Ｍ・ＥＤＩ版接続仕様によりＮＷを介して電子Ｍコンピュータに接続され、該事前印字項目データ・読み取りデータの該収集運搬業者の電子Ｍ加入者番号をキーに該収集運搬業者宛の運搬終了未報告データが電子Ｍ・ＥＤＩ版接続仕様により該処分業者端末により代行して入手され、入手された該収集運搬業者宛の運搬終了未報告データの連絡番号欄に登録されている産廃伝票番号をキーに[００２９]において記憶保存された処分業者（処分）による収集運搬業者記入項目情報ファイルが検索され該番号が一致した処分業者（処分）による収集運搬業者記入項目情報が取得され、取得された該処分業者（処分）による収集運搬業者記入項目情報が該事前印字項目データ・読み取りデータの収集運搬業者の電子Ｍ加入者番号をキーに該収集運搬業者の電子Ｍ運搬終了報告として該収集運搬業者宛の運搬終了未報告データの電子Ｍ登録番号をキーに電子Ｍ・ＥＤＩ版接続仕様により電子Ｍコンピュータに該処分業者端末により代行して報告されるようにする。
【００３０】
処分業者（処分）による処分業者受領時記入項目情報記憶保存手段により送信担当者コードＣをキーに事前印字項目データ・読み取りデータファイルの処分業者受領時記入項目欄の送信を担当するコードが検索されコードが一致した事前印字項目データ・読み取りデータが取得され、取得された該事前印字項目データ・読み取りデータの処分業者受領時記入項目情報が該事前印字項目データ・読み取りデータの産廃伝票番号をキーに記憶保存されるようにする。
【００３１】
処分業者（処分）による処分業者処分時記入項目情報記憶保存・処分業者処分終了未報告データ（連絡番号付）要求手続手段により送信担当者コードＣをキーに事前印字項目データ・読み取りデータファイルの処分業者処分時記入項目欄の送信を担当するコードが検索されコードが一致した事前印字項目データ・読み取りデータが取得され、取得された該事前印字項目データ・読み取りデータの処分業者処分時記入項目情報が該事前印字項目データ・読み取りデータの産廃伝票番号をキーに記憶保存され、電子Ｍ・ＥＤＩ版接続仕様によりＮＷを介して電子Ｍコンピュータに接続され、該事前印字項目データ・読み取りデータの処分業者の電子Ｍ加入者番号をキーに該処分業者宛の処分終了未報告データ（連絡番号付）の電子Ｍ・ＥＤＩ版接続仕様による要求手続が行われるようにする。
【００３２】
上記手続が行われた後、所定時間経過後に、処分業者処分終了報告手段により再度、電子Ｍ・ＥＤＩ版接続仕様によりＮＷを介して電子Ｍコンピュータに接続され、該事前印字項目データ・読み取りデータの該処分業者の電子Ｍ加入者番号をキーに該処分業者宛の処分終了未報告データ（電子Ｍの登録番号が付与されている）が電子Ｍ・ＥＤＩ版接続仕様により入手され、入手された該処分終了未報告データの連絡番号欄に登録されている産廃伝票番号をキーに[００３２]において記憶保存された処分業者（処分）による処分業者処分時記入項目情報ファィルが検索され該番号が一致した処分業者（処分）による処分業者処分時記入項目情報が取得され、取得された該処分業者（処分）による処分業者処分時記入項目情報が、該事前印字項目データ・読み取りデータの該処分業者の電子Ｍ加入者番号をキーに該処分業者の電子Ｍ処分終了報告として該処分終了未報告データの電子Ｍ登録番号をキーに電子Ｍ・ＥＤＩ版接続仕様により電子Ｍコンピュータに報告されされるように構成すれば良い。
【図面の簡単な説明】
【００３３】
【図１】産業廃棄物・物流伝票である。
【図１】
2008134802.tif 000003